(57)【要約】      （修正有）【課題】宣伝用の文字や模様をはっきりと展示でき、旗に折畳み皺が発生せず、且つ鳴き笛および発光体等を別々に購入する必要なく、携帯性に優れた宣伝用巻子本を提供する。【解決手段】宣伝用巻子本Ａは、スリーブ１の内部に設置される巻取ユニット２と、引出ロッド３と、その間に連接され、文字や模様を有する旗４と、固定ユニット７と、スリーブ１に設けられる鳴き笛５と発光体６とを含む。スリーブ１はロッド形状を持つ中空なケース１１であり、その一側面には軸方向と平行しケース１１の中空部１３と連通する開口１２が開設してある。また、スリーブ１の他側には嵌合溝１４が設けてあり、その内部に発光体６が設けてあり、その側面に嵌合穴１５が開設してあり、固定ユニット７にある嵌めピン７１が前記嵌合穴１５に嵌合される。【選択図】図１
0003130470.tif 000002
【実用新案登録請求の範囲】
【請求項１】
スリーブと、
前記スリーブの内部に設置される巻取ユニットと、
引出ロッドと、
前記巻取ユニットと前記引出ロッドとに連接され、文字や模様を有する旗と、を含むことを特徴とする、
宣伝用巻子本。
【請求項２】
前記スリーブはその一側面に嵌合溝が設けてあり、前記嵌合溝内に発光体が設けてあることを特徴とする、請求項１に記載の宣伝用巻子本。
【請求項３】
前記発光体は蛍光棒であることを特徴とする、請求項２に記載の宣伝用巻子本。
【請求項４】
前記発光体は発光ダイオードを持つ発光棒であることを特徴とする、請求項２に記載の宣伝用巻子本。
【請求項５】
更に、前記スリーブの端部に固定された鳴き笛を有することを特徴とする、請求項１に記載の宣伝用巻子本。
【請求項６】
更に、それぞれ前記スリーブと前記引出ロッドとに設けられた固定ユニットを有することを特徴とする、請求項１に記載の宣伝用巻子本。
【請求項７】
前記スリーブはロッド形状を持つ中空なケースであり、前記ケースの一側面には軸方向と平行しケースの中空部と連通する開口が開設してあり、前記スリーブの上下端部に係合穴が開設してあり、前記巻取ユニットは、その上下に前記係合穴と係合する位置決め具が設けてあり、前記スリーブの中空部の内部に固定され、旗の一端と連接する接合管が組付けてあり、前記接合管は、その内部にシャフトと、前記シャフトに嵌められた捻りバネとが設けてあり、その上下端部に前記捻りバネの端部と連接するプラグが固定してあり、その下端のプラグに突起が設けてあり、また、前記スリーブの下端部に設けられた位置決め具の内端面には、前記接合管の下端部に設けられたプラグにある突起と枢着する嵌め穴が開設してあり、前記シャフトの上端部に係り縁が設けてあり、且つ前記シャフトの上端部の位置決め具の内端面に係り溝が設けてあり、前記係り溝が前記シャフトの係り縁と係合することを特徴とする、請求項１に記載の宣伝用巻子本。
【請求項８】
前記スリーブはその開口の反対側面に嵌め溝が設けてあり、前記位置決め具には前記嵌め溝に応じて係り段が凸設してあり、また、前記嵌め溝に発光体が設けてあり、前記発光体の上下端がそれぞれ前記係り段に係合されることを特徴とする、請求項７に記載の宣伝用巻子本。
【請求項９】
前記スリーブの上端部の位置決め具には係合穴が開設してあり、更に、鳴き笛を有し、前記鳴き笛の底端には、前記位置決め具にある係合穴と接合するホゾが設けてあることを特徴とする、請求項７に記載の宣伝用巻子本。
【請求項１０】
前記引出ロッドの一側には互いに係合可能な押え片が二つ設けてあり、旗の一側端が前記二つの押え片に挟まれ、前記二つの押え片にはユーザーが手で握って保持可能な引出部が凸設してあることを特徴とする、請求項１に記載の宣伝用巻子本。
【考案の詳細な説明】
【技術分野】
【０００１】
本考案は、宣伝用巻子本（宣伝用巻子本装置）に係り、特に、宣伝しようとする文字や模様をはっきりと展示でき、宣伝効果が極めて良い宣伝用巻子本に関するものである。
【背景技術】
【０００２】
一般の販売活動、芸術活動やスポーツ活動には、商品、個人または団体を宣伝するために、広告物などを設置することが一般的である。
このような広告物としては、蛍光灯を持つ広告看板、広告スクリーン、或いは各寸法の宣伝用旗等がある。
そのうちの宣伝用旗は、作製が簡単で携帯性が高く、生産コストが低いので、各種の宣伝活動に広汎に使用されている。例えば、選挙期間に宣伝用の旗が大量に使用され、芸術活動やスポーツ活動には、芸能人や選手を励ますための文字や模様が宣伝用旗に書かれ、スポンサーの商品を宣伝するための写真や文字が宣伝用旗に印刷されている。
また、一般の宣伝用旗の固定方式は、旗の両端にロープを設けて、前記ロープを固定物に縛ることによって旗を固定している。
そしてこの旗を振り回そうとする場合には、適当な握り箇所がないので、旗の一側を握ることが一般である。
しかし、旗を容易に握ることができなくなるだけでなく、旗が凹凸し易いので旗に表記された文字や模様が凹凸して、宣伝内容を他人にはっきりとアピールすることができない虞がある。
また、宣伝活動を終了して、次回の使用を便利にするために、宣伝用旗を折畳んで収納することが必要であるが、そうすると、折畳んだ跡が宣伝用旗に付くために、宣伝用旗を再度使用するときは、新品と異なる感覚をユーザーに与える。
【０００３】
また、宣伝活動の賑やかさを向上させるために、活動に参加するメンバーは、宣伝用旗の他に、発光体や鳴き笛などを使用することが一般になっている。
そのため、宣伝用旗の他に、発光体や鳴き笛などを携帯することも必要になるが、これらのものを全て購入することはお金がかなり掛かり、そしてこれらのものを全て携帯することは極めて面倒である。
【考案の開示】
【考案が解決しようとする課題】
【０００４】
本考案の目的は、宣伝しようとする文字や模様をはっきりと展示できて、宣伝効果が極めて良い宣伝用巻子本を提供することにある。
【課題を解決するための手段】
【０００５】
上記目的を達成するためになされた本願の第１考案は、主に、スリーブと、前記スリーブの内部に設置される巻取ユニットと、引出ロッドと、前記巻取ユニットと前記引出ロッドとに連接され、文字や模様を有する旗と、を含むことを特徴とする宣伝用巻子本であることを要旨としている。
【０００６】
本願の第２考案では、前記スリーブは一側面に嵌合溝が設けてあり、前記嵌合溝内に発光体が設けてあることを特徴とする、前記第１考案に記載の宣伝用巻子本であることを要旨としている。
【０００７】
本願の第３考案では、前記発光体は蛍光棒であることを特徴とする、前記第２考案に記載の宣伝用巻子本であることを要旨としている。
【０００８】
本願の第４考案では、前記発光体は発光ダイオードを持つ発光棒であることを特徴とする、前記第２考案に記載の宣伝用巻子本であることを要旨としている。
【０００９】
本願の第５考案では、更に、前記スリーブの端部に固定された鳴き笛を有することを特徴とする、前記第１考案に記載の宣伝用巻子本であることを要旨としている。
【００１０】
本願の第６考案では、本願の考案では、更に、それぞれ前記スリーブと前記引出ロッドとに設けられた固定ユニットを有することを特徴とする、前記第１考案に記載の宣伝用巻子本であることを要旨としている。
【００１１】
本願の第７考案では、前記スリーブはロッド形状を持つ中空なケースであり、前記ケースの一側面には軸方向と平行しケースの中空部と連通する開口が開設してあり、前記スリーブの上下端部に係合穴が開設してあり、前記巻取ユニットは、その上下には前記係合穴と係合する位置決め具が設けてあり、前記スリーブの中空部の内部に固定され、旗の一端と連接する接合管が組付けてあり、前記接合管は、その内部にシャフトと、前記シャフトに嵌められた捻りバネとが設けてあり、その上下端部に前記捻りバネの端部と連接するプラグが固定してあり、その下端のプラグに突起が設けてあり、また、前記スリーブの下端部に設けられた位置決め具の内端面には、前記接合管の下端部に設けられたプラグにある突起と枢着する嵌め穴が開設してあり、前記シャフトの上端部に係り縁が設けてあり、且つ前記シャフトの上端部の位置決め具の内端面に係り溝が設けてあり、前記係り溝が前記シャフトの係り縁と係合することを特徴とする、前記第１考案に記載の宣伝用巻子本であることを要旨としている。
【００１２】
本願の第８考案では、前記スリーブは開口の反対側面に嵌め溝が設けてあり、前記位置決め具には前記嵌め溝に応じて係り段が凸設してあり、また、前記嵌め溝に発光体が設けてあり、前記発光体の上下端がそれぞれ前記係り段に係合されることを特徴とする、前記第７考案に記載の宣伝用巻子本であることを要旨としている。
【００１３】
本願の第９考案では、前記スリーブの上端部の位置決め具には係合穴が開設してあり、更に、鳴き笛を有し、前記鳴き笛の底端には、前記位置決め具にある係合穴と接合するホゾが設けてあることを特徴とする、前記第７考案に記載の宣伝用巻子本であることを要旨としている。
【００１４】
本願の第１０考案では、前記引出ロッドの一側には互いに係合可能な押え片が二つに設けてあり、旗の一側端が前記二つの押え片に挟まれ、また、前記二つの押え片にはユーザーが手で握って保持可能な引出部が凸設してあることを特徴とする、前記第１考案に記載の宣伝用巻子本であることを要旨としている。
【考案の効果】
【００１５】
本考案の宣伝用巻子本によれば、次のような効果がある。
（イ）旗の両側がそれぞれ引出ロッドとスリーブにある巻取ユニットとに固定されるので、ユーザーが旗を展開しようとする場合には、旗にある文字や模様を凹凸にしないような旗の握り箇所があり、だから、旗にある文字や模様をはっきりと他人にアピールすることができる。
【００１６】
（ロ）旗を収納しようとする場合には、捻りバネの弾性力により、巻取ユニットの接合管に固定された旗が巻き取られ接合管に巻付け、これにより、旗に折畳みによる皺が発生しなくなる。
【００１７】
（ハ）スリーブに鳴き笛および発光体が設けてあるので、鳴き笛および発光体などを別々に購入することが必要なくなり、且つ携帯性も向上する。
【考案を実施するための最良の形態】
【００１８】
以下、添付図面を参照して本考案の好適な実施の形態を詳細に説明する。
【００１９】
まず、図１を参照する。
本考案に係る宣伝用巻子本Ａは、主に、スリーブ１と、前記スリーブ１の内部に設置される巻取ユニット２と、引出ロッド３と、前記巻取ユニット２と前記引出ロッド３とに連接され、文字や模様を有する旗４と、スリーブ１と引出ロッド３とに設けられる固定ユニット７と、スリーブ１に設けられる鳴き笛５と、スリーブ１に設けられる発光体６と、を含む。
【００２０】
前記スリーブ１はロッド形状を持つ中空なケース１１であり、前記ケース１１の一側面には軸方向と平行しケース１１の中空部１３と連通する開口１２が開設してある。
前記スリーブ１の上下端部には、巻取ユニット２の位置決め具２１を固定する係合穴１１１が開設してある。
また、スリーブ１の他側には嵌合溝１４が設けてあり、前記嵌合溝１４の内部に発光体６が設けてあり、前記嵌合溝１４の側面に嵌合穴１５が開設してあり、固定ユニット７にある嵌めピン７１が前記嵌合穴１５に嵌合される。
【００２１】
図２と図３を参照する。
前記巻取ユニット２は、スリーブ１の中空部１３の内部に設置され、開口１２から挿入される旗４の一端と連接する接合管２２が設けてある。
前記接合管は、その内部にシャフト２３と、前記シャフト２３に嵌められた捻りバネ２４とが設けてあり、その上下端部に前記捻りバネ２４の端部と連接するプラグ２５が固定してある。
また、シャフト２３のプラグ２５から突出した一端に係り縁２３１が設けてあり、前記係り縁２３１がスリーブ１の上端部に嵌められた位置決め具２１の内面にある係り溝２１１と係合している。
また、前記接合管２２の下端部に設けられたプラグ２５に突起２５１が設けてある。
前記突起２５１が前記スリーブ１の下端部に固定された位置決め具２１に開設された嵌め穴２１２と枢着される。
また、スリーブ１の上端部にある位置決め具２１に係合穴２１３が開設してある。
前記係合穴２１３に鳴き笛５が固定してある。
また、位置決め具２１のスリーブ１にある嵌合溝１４に対応する箇所では係り段２１４が凸設してある。
【００２２】
また、図４を参照する。
引出ロッド３は、条形状を呈し、その一側に互いに係合可能な押え片３１が二つに設けてある。
旗４の一側端である連接段４２が前記二つの押え片３１に挟まれている。
また、前記二つの押え片３１にはユーザーが手で握って保持可能な引出部３２が凸設してある。
引出部３２には固定ユニット７に凸設された嵌めピン７１と嵌合する嵌め穴３３が開設してある。
【００２３】
前記旗４には文字や模様４１が印刷してある。
前記文字や模様４１は、図５に示すように、選挙候補者の名前でもいいし、芸能人のサインでもいいし、各種類の活動のタイトルでもよい。
旗４の両側端には、巻取ユニット２にある接合管２２および引出ロッド３にある押え片３１と連接する連接段４２がそれぞれ設けてある。
連接段４２の一側端がリング形状に形成されて接合管２２と嵌合する。
【００２４】
前記鳴き笛５は、ユーザーがエアをその中に吹き込むと、笛声が発生するものであり、その底部にホゾ５１が設けてある。
前記ホゾ５１がスリーブ１の上端部に設けられた位置決め具２１の係合穴２１３に挿入して固定される。
【００２５】
前記発光体６は、スリーブ１の嵌合溝１４に設置され、その両端が位置決め具２１の係り段２１４に係られている。
前記発光体６は、蛍光棒でもよいし、発光ダイオードを持つ発光棒でもよい。
【００２６】
前記固定ユニット７は、吸盤であり、その後面には嵌めピン７１が凸設してある。
前記嵌めピン７１がスリーブ１に開設された嵌合穴１５と、引出ロッド３に開設された嵌め穴３３とに嵌められる。
【００２７】
次に、本考案の組付方法および使用方法を詳細に説明する。
まず、図１と図２に示すように、ユーザーが宣伝しようとする文字や模様４１を先に旗４に印刷しておく。
巻取ユニット２にある接合管２２と引出ロッド３にある押え片３１とに、旗４の両側端である連接段４２をそれぞれ連接する。
すなわち、図４と図８に示すように、旗４は、一側端が引出ロッド３にある二つの押え片３３に挟まれ、他側端がリング形状に形成されて巻取ユニット２にある接合管２２と嵌合する。
これにより、図５に示すように、ユーザーが宣伝しようとする場合には、引出ロッド３をスリーブ１から離して旗４を展開する。
そうすると、旗４に印刷された文字や模様４１がはっきりと他人に展示でき、他人は宣伝のテーマを容易に了解できる。
また、図３に示すように、旗４を展開しているときに、旗４の一側端と連結した巻取ユニットの接合管２２に固定されたプラグ２５が回転するようになり、前記プラグ２５が捻りバネ２４を捻って捻りバネ２４にトルクを発生する。
このとき、ユーザーが引出ロッド３を放すと、捻りバネ２４に発生するトルクにより、旗４が再び接合管２２に巻き取られる。
このような巻取方式により、旗４には折畳みによる皺が発生しなくなり、且つ旗４が巻き取られた宣伝用巻子本Ａは棒状になる。
そのため、ユーザーは宣伝用巻子本Ａを容易に握ることができる。
さらにまた、活動の賑やかさを向上するために、ユーザーはスリーブ１の上端部に固定された鳴き笛５によって笛声を発生することができる。
また、発光体６を持つ宣伝用巻子本Ａを振り回すと、活動のムードがより一層高まる。そうすると、鳴き笛５と、発光体６と、宣伝用巻子本Ａとを別々に携帯することが必要なくなる。
【００２８】
また、長期間に広告を宣伝しようとする場合には、図８に示すように、旗４を展開して、スリーブ１と引出ロッド３とに設けられた、吸盤形状を呈する固定ユニット７により、宣伝用巻子本Ａを車体や壁面などの固定物に固定する。
そうすると、宣伝用巻子本Ａによって広告を長期間に宣伝することができるようになる。
【図面の簡単な説明】
【００２９】
【図１】本考案の分解斜視図である。
【図２】本考案の組合状態の斜視図である。
【図３】本考案の組合状態の断面図である。
【図４】本考案の一部の上面図である。
【図５】本考案の使用状態を示す概略図１である。
【図６】本考案の使用状態を示す概略図２である。
【図７】本考案の使用状態を示す概略図３である。
【図８】本考案の使用状態を示す概略図４である。
【符号の説明】
【００３０】
１        スリーブ                                
１１      ケース
１１１    係り穴           
１２      開口
１３      中空部           
１４      嵌合溝
１５      嵌合穴           
２        巻取ユニット
２１      位置決め具                
２１１    係り溝
２１２    嵌め穴           
２１３    係合穴
２１４    係り段           
２２      接合管
２３      シャフト                  
２３１    係り縁
２４      捻りバネ                       
２４１    端子
２５      プラグ           
２５１    突起
３        引出ロッド                
３１      押え片
３２      引出部           
３３      嵌め穴
４        旗               
４１      文字/模様
４２      連接段           
５        鳴き笛
５１      ホゾ             
６        発光体
７        固定ユニット                   
７１      嵌めピン
Ａ        宣伝用巻子本
【図１】
0003130470.tif 000003
【図２】
0003130470.tif 000004
【図３】
0003130470.tif 000005
【図４】
0003130470.tif 000006
【図５】
0003130470.tif 000007
【図６】
0003130470.tif 000008
【図７】
0003130470.tif 000009
【図８】
0003130470.tif 000010